(57)【要約】【課題】　土間床下の地盤に薬剤を散布しないので薬剤処理にかかる費用が不要となると共に、建物内の環境を汚染せずかつ期間を要することなく軸組や床組等をシロアリによる食害から保護できる建物の防蟻構造及びその建物を提供する。【解決手段】　建物Ａの布基礎１の立ち上がり部２，３とこの立ち上がり部２，３で包囲された地盤４上に施工した土間床５との継ぎ目６をシロアリ７が通過して床下８へ侵入するのを防止する建物Ａの防蟻構造であって、継ぎ目６にシーリング材９を充填し、立ち上がり部２の外側面２ａの下端に突出部１５を設け、立ち上がり部２の外側面２ａ及び突出部１５の上面１５ｃに密着するようにこの突出部１５の厚さと略同じ厚さの基礎断熱材１６を設けると共に、突出部１５の外側面１５ａから基礎断熱材１６の外側面１６ａにおける少なくとも地上の所定高さまでの範囲をメッシュシート１７で被覆した。【選択図】　　　図１　　
2004132178.tif 000002
【特許請求の範囲】
【請求項１】
　建物の布基礎の立ち上がり部とこの立ち上がり部で包囲された地盤上に施工した土間床との継ぎ目をシロアリが通過して前記建物の床下へ侵入するのを防止する建物の防蟻構造であって、
　前記継ぎ目に、前記シロアリの分泌物に耐性で耐食害性のシーリング材を充填し、
　前記建物の外周部分に施工された立ち上がり部の外側面の下端に、周方向に延びかつ上面が地盤面より下方に位置する突出部を設け、
　前記立ち上がり部の外側面及び前記突出部の上面に密着するようにこの突出部の厚さと略同じ厚さの基礎断熱材を設けると共に、
　前記突出部の外側面から前記基礎断熱材の外側面における少なくとも地上の所定高さまでの範囲を、前記シロアリの分泌物に耐性の耐腐食性材料で構成されたメッシュシートで被覆したことを特徴とする建物の防蟻構造。
【請求項２】
　前記土間床の上面の周縁に、周方向に延びる目地用切欠部を設けた請求項１記載の建物の防蟻構造。
【請求項３】
　前記建物の外周部分に施工された立ち上がり部とこの立ち上がり部の下方に施工されたベース部との継ぎ目に、前記シロアリの分泌物に耐性で耐食害性のシーリング材を充填した請求項１又は２記載の建物の防蟻構造。
【請求項４】
　前記立ち上がり部の外側面の下端又は内側面の下端に、周方向に延びる目地用切欠部を設けた請求項３記載の建物の防蟻構造。
【請求項５】
　前記ベース部の上面における前記立ち上がり部の外側面又は内側面の下方位置に、周方向に延びる切欠溝を設けた請求項３記載の建物の防蟻構造。
【請求項６】
　建物の外周部分に施工された布基礎の立ち上がり部の外側面の下端に、周方向に延びかつ上面が地盤面より下方に位置する突出部を設け、
　前記立ち上がり部の外側面及び前記突出部の上面に密着するようにこの突出部の厚さと略同じ厚さの基礎断熱材を設けると共に、
　前記突出部の外側面から前記基礎断熱材の外側面における少なくとも地上の所定高さまでの範囲を、シロアリの分泌物に耐性の耐腐食性材料で構成されたメッシュシートで被覆したことを特徴とする建物の防蟻構造。
【請求項７】
　前記突出部の外側面から前記基礎断熱材の外側面における少なくとも地上の所定高さまでの範囲に、前記シロアリの分泌物に耐性で耐食害性のシーリング材を塗布した請求項１乃至６のいずれか記載の建物の防蟻構造。
【請求項８】
　前記シーリング材を前記メッシュシートの上から塗布した請求項７記載の建物の防蟻構造。
【請求項９】
　前記シーリング材に高硬度粒子を配合した請求項１、２、３、４、５、７、又は８記載の建物の防蟻構造。
【請求項１０】
　前記高硬度粒子同士の分散間隔が前記シロアリの頭部の横断面における最大寸法の２倍以下である請求項９記載の建物の防蟻構造。
【請求項１１】
　請求項１乃至１０のいずれか記載の防蟻構造を有する建物。
【発明の詳細な説明】
【技術分野】
【０００１】
　本発明は、建物の布基礎の立ち上がり部と土間床との継ぎ目をシロアリが通過して床下へ侵入するのを防止する建物の防蟻構造及びその建物に関する。
【背景技術】
【０００２】
　建物における従来のシロアリ防除技術としては、例えば、
（１）建物の床下の地盤（土壌）と、地面から１ｍ以内の木部とを薬剤で処理する方法、
（２）シロアリの活動をモニタリングしながら、侵入してきたシロアリに少量の薬剤を含む毒餌を摂食させて根絶するベイト工法（レスケミカル法）、
　等が知られている。
（３）また、特開２００１−４９７５３号公報（特許文献１）には、床下の防蟻剤が漏れないように防蟻剤遮断部を設ける技術が開示されている。
【特許文献１】特開２００１−４９７５３号公報（第２−４頁，図３等）
【発明の開示】
【発明が解決しようとする課題】
【０００３】
　しかしながら、上記のような従来例（１）においては、薬剤に起因する化学物質過敏症等の問題があり、即ち、建物内の環境が化学物質によって汚染されるという問題点がある。
【０００４】
　従来例（２）においては、シロアリに毒餌を摂食させ、コロニー全体の活力を衰退させることを目的とするため、その開始から終了までに少なくとも数カ月〜２年程度の長期間を要するという問題点がある。
【０００５】
　従来例（３）においては、土間床下の地盤に薬剤の散布、あるいは防蟻のためのシートを設ける必要があり、そのための費用が必要である。
【０００６】
　本発明は、以上のような問題点に鑑みてなされたものであり、土間床下の地盤に薬剤を散布しないので薬剤処理にかかる費用が不要となると共に、建物内の環境を汚染せずかつ期間を要することなく軸組や床組等をシロアリによる食害から保護できる建物の防蟻構造及びその建物を提供することを目的とする。
【課題を解決するための手段】
【０００７】
　上記目的を達成するための請求項１の建物の防蟻構造は、建物の布基礎の立ち上がり部とこの立ち上がり部で包囲された地盤上に施工した土間床との継ぎ目をシロアリが通過して前記建物の床下へ侵入するのを防止する建物の防蟻構造であって、前記継ぎ目に、前記シロアリの分泌物に耐性で耐食害性のシーリング材を充填し、前記建物の外周部分に施工された立ち上がり部の外側面の下端に、周方向に延びかつ上面が地盤面より下方に位置する突出部を設け、前記立ち上がり部の外側面及び前記突出部の上面に密着するようにこの突出部の厚さと略同じ厚さの基礎断熱材を設けると共に、前記突出部の外側面から前記基礎断熱材の外側面における少なくとも地上の所定高さまでの範囲を、前記シロアリの分泌物に耐性の耐腐食性材料で構成されたメッシュシートで被覆したものである。
【０００８】
　請求項２の建物の防蟻構造は、前記土間床の上面の周縁に、周方向に延びる目地用切欠部を設けたものである。
【０００９】
　請求項３の建物の防蟻構造は、前記建物の外周部分に施工された立ち上がり部とこの立ち上がり部の下方に施工されたベース部との継ぎ目に、前記シロアリの分泌物に耐性で耐食害性のシーリング材を充填したものである。
【００１０】
　請求項４の建物の防蟻構造は、前記立ち上がり部の外側面の下端又は内側面の下端に、周方向に延びる目地用切欠部を設けたものである。
【００１１】
　請求項５の建物の防蟻構造は、前記ベース部の上面における前記立ち上がり部の外側面又は内側面の下方位置に、周方向に延びる切欠溝を設けたものである。
【００１２】
　請求項６の建物の防蟻構造は、建物の外周部分に施工された布基礎の立ち上がり部の外側面の下端に、周方向に延びかつ上面が地盤面より下方に位置する突出部を設け、前記立ち上がり部の外側面及び前記突出部の上面に密着するようにこの突出部の厚さと略同じ厚さの基礎断熱材を設けると共に、前記突出部の外側面から前記基礎断熱材の外側面における少なくとも地上の所定高さまでの範囲を、シロアリの分泌物に耐性の耐腐食性材料で構成されたメッシュシートで被覆したものである。
【００１３】
　請求項７の建物の防蟻構造は、前記突出部の外側面から前記基礎断熱材の外側面における少なくとも地上の所定高さまでの範囲に、前記シロアリの分泌物に耐性で耐食害性のシーリング材を塗布したものである。
【００１４】
　請求項８の建物の防蟻構造は、前記シーリング材を前記メッシュシートの上から塗布したものである。
【００１５】
　請求項９の建物の防蟻構造は、前記シーリング材に高硬度粒子を配合したものである。
【００１６】
　請求項１０の建物の防蟻構造においては、前記高硬度粒子同士の分散間隔が前記シロアリの頭部の横断面における最大寸法の２倍以下である。
【００１７】
　また、請求項１１の建物は、請求項１乃至１０のいずれか記載の防蟻構造を有するものである。
【発明の効果】
【００１８】
　以上のように、請求項１及び請求項１１の発明によれば、立ち上がり部と土間床との継ぎ目にシロアリの分泌物に耐性で耐食害性のシーリング材を充填しているので、このシーリング材の物理的防蟻効果により、シロアリが継ぎ目を通過して床下へ侵入するのを阻止できる。そのため、建物内の環境を汚染せずかつ期間を要することなく軸組や床組等をシロアリによる食害から保護できる。また、突出部の外側面から基礎断熱材の外側面における少なくとも地上の所定高さまでの範囲をメッシュシートで被覆しているので、効果的に基礎断熱を図ることができると共に、基礎断熱材をシロアリによる食害から保護できる。そのため、シロアリが基礎断熱材の内部を通過して軸組や床組等に侵入することもない。また、突出部の外側面と基礎断熱材の外側面とは面一であるので、メッシュシートの取付け作業も簡単に行える。
【００１９】
　請求項２及び請求項１１の発明によれば、土間床の上面の周縁に目地用切欠部を設けているので、シロアリの分泌物に耐性で耐食害性のシーリング材の充填時に粘性が低い場合でも、目地用切欠部にシーリング材が溜まり、そのため土間床の内側への流出を防止できる。
【００２０】
　請求項３及び請求項１１の発明によれば、建物の外周部分に施工された立ち上がり部とベース部との継ぎ目にシロアリの分泌物に耐性で耐食害性のシーリング材を充填しているので、このシーリング材の物理的防蟻効果により、シロアリが継ぎ目を通過して基礎断熱材へ侵入するのを阻止できる。
【００２１】
　請求項４及び請求項１１の発明によれば、立ち上がり部の外側面の下端又は内側面の下端に目地用切欠部を設けているので、ベース部の上面との間にシロアリの分泌物に耐性で耐食害性のシーリング材が収容される空間が形成され、そのため充填作業を行い易い。
【００２２】
　請求項５及び請求項１１の発明によれば、ベース部の上面における立ち上がり部の外側面又は内側面の下方位置に切欠溝を設けているので、この切欠溝に十分な量の、シロアリの分泌物に耐性で耐食害性のシーリング材を収容でき、そのため継ぎ目のシールを確実に行える。
【００２３】
　請求項６及び請求項１１の発明によれば、突出部の外側面から基礎断熱材の外側面における少なくとも地上の所定高さまでの範囲をメッシュシートで被覆しているので、効果的に基礎断熱を図ることができると共に、基礎断熱材をシロアリによる食害から保護できる。そのため、シロアリが基礎断熱材の内部を通過して軸組や床組等に侵入することもない。また、突出部の外側面と基礎断熱材の外側面とは面一であるので、メッシュシートの取付け作業も簡単に行える。
【００２４】
　請求項７、請求項８、及び請求項１１の発明によれば、突出部の外側面から基礎断熱材の外側面における少なくとも地上の所定高さまでの範囲にシロアリの分泌物に耐性で耐食害性のシーリング材を塗布しているので、シーリング材の物理的防蟻効果により、基礎断熱材をシロアリによる食害から保護できる。
【００２５】
　請求項９及び請求項１１の発明によれば、シロアリの分泌物に耐性で耐食害性のシーリング材に高硬度粒子を配合しているので、床下又は基礎断熱材へのシロアリの侵入をより有効に阻止できる。
【００２６】
　請求項１０及び請求項１１の発明によれば、高硬度粒子同士の分散間隔がシロアリの頭部の横断面における最大寸法の２倍以下であるので、仮にシロアリが、シロアリの分泌物に耐性で耐食害性のシーリング材を食い破ろうとしたときでも高硬度粒子の間を通り抜けるのを嫌い、そのためシロアリの侵入を確実に阻止できる。更に、高硬度粒子同士の分散間隔が前記最大寸法以下であれば、シロアリの侵入阻止効果を向上できる。
【発明を実施するための最良の形態】
【００２７】
　以下、本発明の実施形態を図面に基づいて説明する。
　第１実施形態に係る建物Ａの防蟻構造は、図１〜図３に示すように、建物Ａの布基礎１の立ち上がり部２，３とこの立ち上がり部２，３で包囲された地盤４上に施工した土間床５との継ぎ目６をシロアリ７が通過して建物Ａの床下８へ侵入するのを防止するものであって、継ぎ目６にシーリング材９を充填したものである。
【００２８】
　布基礎１は、図１及び図２に示すように、建物Ａの外周部分及びその内方に施工されており、立ち上がり部２（３）とベース部１０とから横断面が例えば逆Ｔ字状に形成されている。図１に示す、外周部分に施工されて周方向に連続する立ち上がり部２の内方の地盤４は、図２に示す、内方に施工されて縦横等に連続する立ち上がり部３により複数の区画に区分されている。
【００２９】
　土間床５は、外周部分及び内方の立ち上がり部２，３で包囲された地盤４上に施工されており、材質としては物理的防蟻効果を有する材料であれば周知のものが使え、例えばコンクリートであり、好ましくは、ひび割れ防止のために内部に鉄筋、ワイヤーメッシュ等が埋設されている。この土間床５と地盤４との間には、必要に応じて防湿シート等を敷設してもよい。
【００３０】
　継ぎ目６は、図１、図２、及び図４に示すように、立ち上がり部２，３と土間床５との打ち継ぎ部分に形成されており、この継ぎ目６にはシーリング材９が充填されている。
【００３１】
　シロアリ７とは、ゴキブリに近縁の社会生活をする不完全変態の昆虫であって、シロアリ目（等翅類）Isopteraの総称である。このシロアリ７は、図３に示すように、非変形性の堅い頭部７ａを有する一方、比較的柔らかくて弱い体部７ｂを有している。このようなシロアリ７としては、例えば、ヤマトシロアリやイエシロアリ等の各種のものが挙げられる。
【００３２】
　シーリング材９としては、シロアリ７から放出されるギ酸等の分泌物に耐性で、使用環境下で数年から数十年の耐用年数を有する耐劣化性材料で構成されていれば、種々のものを使用できる。例えば、シリコーン系、変性シリコーン系、ポリサルファイド系、変性ポリサルファイド系、アクリルウレタン系、ポリウレタン系、アクリル系、スチレン・ブタジエン共重合ゴム系、及びブチルゴム系等で、土間床に用いる物理的防蟻効果を有する材料の収縮及び膨張といった動き（コンクリートの場合、乾燥収縮率０．０４〜０．０７％等）に追従でき、つまりＪＩＳ Ａ ５７５８で測定できるムーブメント追従性に優れ、かつ接着性にも問題ないものが挙げられる。また粘度（ＢＳ型回転粘度計、２３℃、１０ｒｐｍ）としては、１００〜１００００Ｐａ・ｓのものが適しており、シロアリ７が歯のある大顎で噛りとろうとしても、このシーリング材９がシロアリ７の歯にひっかかり、噛み付くことを嫌うので食害できない。
【００３３】
　このシーリング材９を継ぎ目６に充填する際は、適宜プライマーを塗布した後に、ハケ、コテ、ノズル、ガン等により塗布又は注入等してもよい。充填のし易さを考えると、このシーリング材９の前記粘度は、好ましくは１０００〜３０００Ｐａ・ｓがよい。なお、この実施形態においては、継ぎ目６の上下方向の全体に渡ってシーリング材９を充填しているが、これに限定されるものではなく、シールが途切れなければ上部等だけでもよい。このように、立ち上がり部２，３と土間床５との継ぎ目６にシーリング材９を充填しておけば、このシーリング材９の物理的防蟻効果により、シロアリ７が継ぎ目６を通過して床下８へ侵入するのを阻止できる。そのため、建物Ａ内の環境を汚染せずかつ期間を要することなく軸組Ｂや床組Ｃ等をシロアリ７による食害から保護できるという利点がある。
【００３４】
　ここで、この実施形態のように、土間床５の上面５ｃの周縁に、周方向に延びる目地用切欠部１１を設けておけば、シーリング材９の充填時の粘性が低い場合でも、目地用切欠部１１にシーリング材９が溜まるので、土間床５の内側への流出を防止できるという利点がある。なお、目地用切欠部１１の深さや幅は、シーリング材９が十分に溜まるように、いずれも１０mm程度以上が望ましいが、横断面形状等は特に限定されるものではなく、図１、図２、及び図４に示すテーパ面１２からなるものの他、例えば、図５に示すテーパ面１２と水平面１３とが連続したもの、図６に示すテーパ面１２と水平面１３とテーパ面１４とが連続したもの、図７に示す垂直面１２ａと水平面１３とが連続したもの、図８に示す曲面１２ｂからなるもの等であってもよい。このような目地用切欠部１１を土間床５の上面５ｃの周縁に設けるには、土間床５として例えばコンクリートの打設時に、目地用切欠部１１と略同じ横断面形状を有する合成樹脂、材木等からなる目地棒や目地管等をコンクリートの上面の周縁に設置しておけばよい。
【００３５】
　なお、土間床５の上面５ｃの周縁には、上記のような適宜の目地用切欠部１１を設けておくのが望ましいが、図９に示すように、シーリング材９の充填時の粘性を適度に調整して土間床５の内側へ流出しないように注意すれば、目地用切欠部１１を設けておかなくてもよい。
【００３６】
　また、図１に示すように、建物Ａの外周部分に施工された立ち上がり部２の外側面２ａの下端に、周方向に延びかつ上面１５ｃが地盤面４ｃより下方に位置する突出部１５を設け、立ち上がり部２の外側面２ａ及び突出部１５の上面１５ｃに密着するようにこの突出部１５の厚さと略同じ厚さの基礎断熱材１６を設けると共に、突出部１５の外側面１５ａから基礎断熱材１６の外側面１６ａにおける少なくとも地上の所定高さまでの範囲をメッシュシート１７で被覆しておけば、効果的に基礎断熱を図ることができると共に、基礎断熱材１６をシロアリ７による食害から保護できるという利点がある。そのため、シロアリ７が基礎断熱材１６の内部を通過して軸組Ｂや床組Ｃ等に侵入することもない。また、突出部１５の外側面１５ａと基礎断熱材１６の外側面１６ａとは面一であるので、メッシュシート１７の取付け作業も簡単に行えるという利点がある。
【００３７】
　基礎断熱材１６は、矩形状の合成樹脂発泡板等から構成され、外周部分に施工された立ち上がり部２の外側面２ａに横方向に相隣接して密着している。この基礎断熱材１６は、立ち上がり部２に接着剤等で接着したり、あるいは立ち上がり部２を打設する際にそのコンクリートに密着させたりすればよい。基礎断熱材１６を立ち上がり部２の打設により密着させる場合は、基礎断熱材１６とコンクリートとの密着が充分なものとなり、断熱性や防蟻性の面から更に好ましいものとなる。
【００３８】
　メッシュシート１７は、図１０に示すように、例えばステンレス鋼ワイヤ１７ａ等から製織等され、シロアリ７の頭部横断面の最大寸法Ｈの２倍以下の寸法である複数の網目（アンカー孔）１８を有している。
【００３９】
　なお、前記最大寸法Ｈは、イエシロアリの職蟻で１．１〜１．２５ｍｍ程度、ヤマトシロアリの職蟻で１．０〜１．２ｍｍ程度であるので、ヤマトシロアリが生息する地域では、アンカー孔の寸法を少なくともいずれかの方向において２．０ｍｍ程度以下としておくのが望ましい。
【００４０】
　また、シロアリバリアー材として使用されるメッシュシート１７は、シロアリ７から放出されるギ酸等の分泌物に耐性で且つシロアリ７が噛み砕くことができない硬さ、好ましくは少なくともＨＤＤ約７０のデュロメータ硬さを有すると共に、使用環境下で数十年の耐用年数を有する耐腐食性材料で構成されていれば、種々のものを使用できる。このようなメッシュシート１７としては、例えば、セラミックス、ガラス、合成樹脂、金属（特にステンレス）等の繊維、フィラメント、ストランド等から製織又は製編等されたワイヤーラス等や不織布、あるいはパンチングメタル、メタルラス等が挙げられ、特に「ターミメッシュ（ＴＥＲＭＩ−ＭＥＳＨ）」（商品名，ターミメッシュ・オーストラリア社製）等のステンレスメッシュ等が好適である。要するに、網目１８等の複数のアンカー孔を有していればよい。
【００４１】
　アンカー孔の形状は特に限定されるものではなく、矩形状や円状等の適宜の形状とすることができる。要するに、アンカー孔の寸法が、いずれか１方向、あるいは２以上の方向において２Ｈ以下であればよい。
【００４２】
　基礎断熱材１６は、外側面１６ａの他、上面１６ｃもメッシュシート１７で被覆しておくのが望ましい。また、メッシュシート１７の内端１７ｂや下端１７ｄは、少し長く形成しておいて立ち上がり部２に埋設又は接着等しておくのが望ましい。メッシュシート１７の内端１７ｂを、立ち上がり部２の天端に施工されるならしモルタル１９に埋設しておけば、取付けを確実にできると共に、納まりもよい。
【００４３】
　更に、メッシュシート１７に代えて、又はこの実施形態のようにメッシュシート１７の上からシーリング材９を塗布した場合も同様に、シーリング材９の物理的防蟻効果により、基礎断熱材１６をシロアリ７による食害から保護できるという利点がある。
【００４４】
　この場合、シーリング材９を単独で塗布するよりも、メッシュシート１７の上からシーリング材９を塗布した方がより効果的である。即ち、メッシュシート１７によりシーリング材９をより強固に支持できると共に、仮にシーリング材９とメッシュシート１７の二重の物理的防蟻バリアの存在によって基礎断熱材１６を有効に保護できる。
【００４５】
　ここで、アンカー孔の寸法が前記最大寸法Ｈの２倍以下、即ち、アンカー孔をシロアリ７の頭部７ａが通り抜けないか又は頭部７ａが通り抜けても柔らかい体部７ｂ等がアンカー孔に接触するような寸法である場合は、シロアリ７がアンカー孔を通り抜けるのを嫌うので、基礎断熱材１６をより確実に保護できる。
【００４６】
　加えて、シーリング材９の耐食害性を向上させるために、例えば、セラミックス、ガラス、スラグ砂、砂、砕砂、砕石、人工軽量骨材等からなる無機質系粒子、あるいはポリ塩化ビニル、ポリアミド、ポリアセタール、ポリカーボネート、不飽和ポリエステル、架橋ポリエチレン、スチレン・ブタジエン共重合ゴム、エチレン・プロピレン・ジエンモノマー共重合ゴム等のポリマーからなる合成樹脂系粒子のようなシロアリ７が噛み砕くことができない高硬度粒子を配合しておけば、床下８又は基礎断熱材１６へのシロアリ７の侵入をより有効に阻止できるという利点がある。また、メッシュシート１７のアンカー孔の場合と同様、この高硬度粒子同士の分散間隔が前記最大寸法Ｈの２倍以下であれば、仮にシロアリ７がシーリング材９を食い破ろうとしたときでも高硬度粒子の間を通り抜けるのを嫌うので、シロアリ７の侵入を確実に阻止できる。好ましくは、高硬度粒子同士の分散間隔は前記最大寸法Ｈ以下であれば、シロアリ７の侵入阻止もさらに確実となる。なお、高硬度粒子の配合量や大きさは特に限定されるものではなく、シーリング材９がシロアリ７によって食い破られないように、その大きさに応じて充分な量を配合しておけばよい。特に、高密度に配合したい場合のシーリング材９の前記粘度は、５００〜５０００Ｐａ・ｓが適切である。
【００４７】
　更に、シーリング材９には、必要に応じてシロアリ忌避剤を添加することもでき、この場合にはシロアリ７によって噛み破られる可能性をより低下させることができるという利点がある。なお、シロアリ忌避剤としては、周知のものが使えるが、例えば、亜鉛や銅あるいは亜鉛化合物や銅化合物、ホウ素あるいはホウ素化合物等が挙げられる。
【００４８】
　なお、この実施形態においては、土間床５が低い位置に施工されて床下８が床下空間となる場合について説明したが、これに限定されるものではなく、図１１及び図１２に示すように、土間床５と地盤４との間に盛土２０や目つぶし砂利２１等を介在させ、床下８が床下空間とならない状態のより高い位置に土間床５を施工してもよい。
【００４９】
　第２実施形態に係る建物Ａの防蟻構造は、図１３及び図１４に示すように、第１実施形態の外周部分に施工された立ち上がり部２の外側面２ａに突出部１５を設けない場合であって、立ち上がり部２とこの立ち上がり部２の下方に施工されたベース部１０との継ぎ目２６にシーリング材９を充填したものである。
【００５０】
　基礎断熱材１６は、ベース部１０の上面１０ｃ及び立ち上がり部２の外側面２ａに密着している。メッシュシート１７の下端１７ｄは、ベース部１０の上面１０ｃに取付けられている。そのため、基礎断熱材１６の外側面１６ａ及び上面１６ｃはメッシュシート１７により保護されているものの、継ぎ目２６と連通している。
【００５１】
　このように、立ち上がり部２とベース部１０との継ぎ目２６にシーリング材９を充填しておけば、このシーリング材９の物理的防蟻効果により、シロアリ７が継ぎ目２６を通過して基礎断熱材１６へ侵入するのを阻止できるという利点がある。
【００５２】
　また、立ち上がり部２と土間床５との継ぎ目６においても第１実施形態と同様に、シロアリ７が継ぎ目６を通過して床下８へ侵入するのを阻止できるが、立ち上がり部２の内側面２ｂや土間床５の上面５ｃにそれぞれ基礎断熱材２７や基礎断熱補強材２８を設けていた場合は、これら基礎断熱材２７や基礎断熱補強材２８をシロアリ７による食害から保護することもできる。
【００５３】
　ここで、この実施形態のように、立ち上がり部２の例えば内側面２ｂの下端に周方向に延びる目地用切欠部３１を設けておけば、ベース部１０の上面１０ｃとの間にシーリング材９が収容される空間が形成されるので、充填作業を行い易いという利点がある。なお、第１実施形態と同様、目地用切欠部３１の高さや幅はいずれも１０mm程度以上が望ましいが、横断面形状等は特に限定されるものではなく、図１３及び図１４に示すテーパ面３２からなるものの他、例えば、図１５に示すテーパ面３２と垂直面３３とが連続したものや、図１６に示すテーパ面３２と垂直面３３とテーパ面３４とが連続したもの等であってもよい。また、目地用切欠部３１の位置は立ち上がり部２の外側面２ａの下端に限定されるものではなく、立ち上がり部２の内側面２ｂの下端でもよい。この場合、基礎断熱材１６は、シーリング材９を継ぎ目２６に充填してから立ち上がり部２に取付ければよい。このような目地用切欠部３１を立ち上がり部２の外側面２ａの下端又は内側面２ｂの下端に設けるには、立ち上がり部２のコンクリートの打設時に、既述の目地棒や目地管等をコンクリート型枠の内側に設置しておけばよい。
【００５４】
　更に、立ち上がり部２の下端には、上記のような適宜の目地用切欠部３１を設けておくのが望ましいが、図１７に示すように、目地用切欠部３１を設けておかなくてもよい。
【００５５】
　また、図１８に示すように、ベース部１０の上面１０ｃにおける立ち上がり部２の外側面２ａ又は内側面２ｂの下方位置に、周方向に延びる切欠溝３５を設けておけば、この切欠溝３５に十分な量のシーリング材９を収容できるので、継ぎ目２６のシールを確実に行えるという利点がある。なお、切欠溝３５の横断面形状等も特に限定されるものではなく、必要に応じて適宜変更可能である。
【産業上の利用可能性】
【００５６】
　本発明の建物の防蟻構造及びその建物は、土間床下の地盤に薬剤を散布しないので薬剤処理にかかる費用が不要となると共に、建物内の環境を汚染せずかつ期間を要することなく軸組や床組等をシロアリによる食害から保護できる建物の防蟻構造及びその建物として有用である。
【図面の簡単な説明】
【００５７】
【図１】第１実施形態に係る建物の外周部分における防蟻構造を示す概略縦断面図。
【図２】図１の立ち上がり部の内方における防蟻構造を示す概略縦断面図。
【図３】(a)はシロアリの平面図、(b)は(a)のＹ−Ｙ線断面図。
【図４】図１又は図２の立ち上がり部と土間床との継ぎ目付近の要部拡大縦断面図。
【図５】目地用切欠部の他の例を示す要部拡大縦断面図。
【図６】目地用切欠部の他の例を示す要部拡大縦断面図。
【図７】目地用切欠部の他の例を示す要部拡大縦断面図。
【図８】目地用切欠部の他の例を示す要部拡大縦断面図。
【図９】目地用切欠部を設けない例を示す要部拡大縦断面図。
【図１０】メッシュシートの要部拡大平面図。
【図１１】土間床を高い位置に施工した例を示す外周部分における概略縦断面図。
【図１２】土間床を高い位置に施工した例を示す内方における概略縦断面図。
【図１３】第２実施形態に係る建物の防蟻構造を示す概略縦断面図。
【図１４】立ち上がり部の目地用切欠部付近の要部拡大縦断面図。
【図１５】目地用切欠部の他の例を示す要部拡大縦断面図。
【図１６】目地用切欠部の他の例を示す要部拡大縦断面図。
【図１７】目地用切欠部を設けない例を示す要部拡大縦断面図。
【図１８】切欠溝付近の要部拡大縦断面図。
【符号の説明】
【００５８】
　Ａ　建物
　１　布基礎
　２，３　立ち上がり部
　２ａ　外側面
　２ｂ　内側面
　４　地盤
　４ｃ　地盤面
　５　土間床
　５ｃ　上面
　６　継ぎ目
　７　シロアリ
　７ａ　頭部
　８　床下
　９　シロアリの分泌物に耐性で耐食害性のシーリング材
１０　ベース部
１０ｃ　上面
１１　目地用切欠部
１５　突出部
１５ａ　外側面
１５ｃ　上面
１６　基礎断熱材
１６ａ　外側面
１７　メッシュシート
２６　継ぎ目
３１　目地用切欠部
３５　切欠溝
【図１】
2004132178.tif 000003
【図２】
2004132178.tif 000004
【図３】
2004132178.tif 000005
【図４】
2004132178.tif 000006
【図５】
2004132178.tif 000007
【図６】
2004132178.tif 000008
【図７】
2004132178.tif 000009
【図８】
2004132178.tif 000010
【図９】
2004132178.tif 000011
【図１０】
2004132178.tif 000012
【図１１】
2004132178.tif 000013
【図１２】
2004132178.tif 000014
【図１３】
2004132178.tif 000015
【図１４】
2004132178.tif 000016
【図１５】
2004132178.tif 000017
【図１６】
2004132178.tif 000018
【図１７】
2004132178.tif 000019
【図１８】
2004132178.tif 000020